(57)【要約】【課題】落下や他物との衝突等によってスプール軸に外力が作用しても、係合ピンが螺軸のカム溝に乗り上がることが防止される往復動装置を備えた魚釣用スピニングリールを提供する。【解決手段】本発明の魚釣用スピニングリールは、ハンドルに連動回転し周面に螺旋状のカム溝１２ａを形成した螺軸１２と、スプールを支持するスプール軸の後部に取り付けられ、カム溝１２ａに係合する係合ピン１６を収容保持する収容孔１７ａを具備する摺動体１５とを有する往復動装置１０を組み込んでいる。係合ピン１６のカム溝１２ａと係合する先端部と反対側の端部には、大径鍔部１６ｂが形成されており、この大径鍔部１６ｂを収容孔１７ａの開口周囲に当て付けた状態で摺動体１５に抜け止め部材２０を取り付けて係合ピン１６を軸方向に抜け止め保持したことを特徴とする。【選択図】図３
2007097491.tif 000002
【特許請求の範囲】
【請求項１】
ハンドルに連動回転し周面に螺旋状のカム溝を形成した螺軸と、スプールを支持するスプール軸の後部に取り付けられ、前記カム溝に係合する係合ピンを収容保持する収容孔を具備する摺動体とを有する往復動装置を組み込んだ魚釣用スピニングリールにおいて、
前記係合ピンの前記カム溝と係合する先端部と反対側の端部に大径鍔部を形成し、
前記大径鍔部を前記収容孔の開口周囲に当て付けた状態で前記摺動体に抜け止め部材を取り付けて、前記係合ピンを軸方向に抜け止め保持したことを特徴とする魚釣用スピニングリール。
【請求項２】
前記摺動体は、前記螺軸を嵌合する嵌合部を有し、リール本体に設けられるガイド軸と前記嵌合部とで移動案内されることを特徴とする請求項１に記載の魚釣用スピニングリール。
【発明の詳細な説明】
【技術分野】
【０００１】
本発明は、ハンドルの回転運動をスプール軸の前後往復動に変換する往復動装置を備えた魚釣用スピニングリールに関する。
【背景技術】
【０００２】
通常、魚釣用スピニングリールには、釣糸を巻回するスプールを前後往復動させる往復動装置（オシレート機構）が組み込まれている。この往復動装置は、例えば、特許文献１に開示されているように、ハンドル軸の回転に伴って連動回転する螺軸（ウォームシャフト）の外周面に形成されたカム溝に、スプール軸の後部に取り付けた摺動体内に収容保持される係合ピンを係合させて、ハンドルの回転運動をスプール軸の前後往復動に変換する構成が従来から一般的となっている。
【０００３】
この特許文献１に開示されている往復動装置は、先端側近傍の外周に鍔部を形成した係合ピンを、内周に段部を有する摺動体の装着孔に装着し、これを螺軸側にバネ部材で付勢しており、段部と鍔部との係合によって係合ピンの螺軸側への移動を規制する構造となっている。このように、係合ピンの螺軸側への移動規制によって、螺軸のカム溝に対する係合ピンの係合状態を安定させ、係合ピンを介して摺動体の前後往復動の安定化を図っている。
【特許文献１】特開平１１−３１３５８３号
【発明の開示】
【発明が解決しようとする課題】
【０００４】
しかし、上記した特許文献１に開示されている往復動装置では、摺動体の装着孔内に装着される係合ピンは、バネ付勢によって、装着孔内部に形成される段部に鍔部を係合させて移動規制する構造であることから、その係合状態が不安定になり易く、螺軸の軸方向に対する支持状態が充分ではない。このため、リール本体を落下したり他物と衝突等して、スプール前部に外力がリール本体側に向けて作用した場合、スプール軸及び摺動体を介して、係合ピンが変動し易く、傾きが生じてしまう。これにより、螺軸のカム溝から係合ピンの先端部が外れてしまう、いわゆる「乗り上げ現象」が生じ易く、作動不良になる等の問題がある。
【０００５】
また、上記した公知技術に開示されている摺動体は、２本のガイド軸によって移動方向に案内され、かつ係合ピン部分を露出させた状態で螺軸のカム溝に係合させる構成であるため、スプール軸に外力が作用した場合、摺動体を介してガイド軸が変形する可能性がある。そして、このようにガイド軸が変形すると、螺軸に対して摺動体に傾きが生じてしまい、結果的に上記した乗り上げ現象を更に悪化してしまう。
【０００６】
本発明は、上記した問題に基づいてなされたものであり、落下や他物との衝突等によってスプール軸に外力が作用しても、係合ピンが螺軸のカム溝に乗り上がることが防止される往復動装置を備えた魚釣用スピニングリールを提供することを目的とする。
【課題を解決するための手段】
【０００７】
上記した目的を達成するために、本発明に係る魚釣用スピニングリールは、ハンドルに連動回転し周面に螺旋状のカム溝を形成した螺軸と、スプールを支持するスプール軸の後部に取り付けられ、前記カム溝に係合する係合ピンを収容保持する収容孔を具備する摺動体とを有する往復動装置を組み込んだ構成において、前記係合ピンの前記カム溝と係合する先端部と反対側の端部に大径鍔部を形成し、前記大径鍔部を前記収容孔の開口周囲に当て付けた状態で前記摺動体に抜け止め部材を取り付けて、前記係合ピンを軸方向に抜け止め保持したことを特徴とする。
【０００８】
上記した構成における往復動装置の摺動体は、係合ピンの端部に大径鍔部を形成し、これを収容孔の開口周囲に当て付け、抜け止め部材によって係合ピンを抜け止め保持するため、係合ピンの摺動体に対する当て付け領域（支持領域）が大きく確保され、その保持が安定するようになる。すなわち、安定した状態で軸方向（螺軸と直交する方向）に保持された状態になるため、スプール軸の軸方向に大きな外力等が作用しても、螺軸のカム溝から係合ピンの先端部が外れてしまう「乗り上げ現象」を防止することが可能となる。
【０００９】
また、上記した構成において、前記摺動体は、前記螺軸を嵌合する嵌合部を有し、リール本体に設けられるガイド軸と前記嵌合部とで移動案内される構成にすることが好ましい。
【００１０】
このような構成では、落下、衝撃等によって、スプール軸を介して摺動体に大きな外力が作用しても、前記嵌合部の補強作用によって、螺軸に対する摺動体の傾きを防止することができるため、上記した「乗り上げ現象」をより確実に防止することが可能となる。
【発明の効果】
【００１１】
本発明によれば、落下や他物との衝突等によってスプール軸に外力が作用しても、往復動装置の係合ピンが螺軸のカム溝に乗り上がることが防止され、スプールを安定して往復動させる魚釣用スピニングリールが得られる。
【発明を実施するための最良の形態】
【００１２】
以下、本発明に係る魚釣用スピニングリールの一実施形態について、図１から図４を参照して説明する。なお、これらの図において、図１は、魚釣用スピニングリールのリール本体を切欠いて往復動装置を示す図、図２は、図１に示す往復動装置の主要部の拡大図、図３は、図２のＡ−Ａ線に沿った断面図、そして、図４は、図２のＢ−Ｂ線に沿った断面図である。
【００１３】
魚釣用スピニングリールのリール本体１には、釣竿に装着されるリール脚１ａが一体形成されており、その前方には回転可能に支持されたロータ２と、ロータ２の回転運動と同期して前後動可能に支持されたスプール３が配設されている。
【００１４】
リール本体１内には、ハンドル軸７ａが回転可能に支持されており、その突出端部には、ハンドル７が取り付けられている。また、ハンドル軸７ａには、巻取り駆動機構が係合しており、この巻取り駆動機構は、ハンドル軸７ａに取り付けられ、内歯が形成された駆動ギヤ８と、この駆動ギヤ８に噛合すると共にハンドル軸７ａと直交する方向に延出し、内部に軸方向に延出する空洞部が形成されたピニオン９とを備えている。
【００１５】
前記ピニオン９は、軸受を介してリール本体内に回転可能に支持されており、その空洞部には、ハンドル軸７ａと直交する方向に延出し、先端側に前記スプール３を装着したスプール軸３ａが軸方向に移動可能に挿通されている。また、前記ピニオン９には、スプール３（スプール軸３ａ）を前後往復動させるための往復動装置１０が係合している。
【００１６】
前記往復動装置１０は、リール本体内に回転可能に支持され、スプール軸３ａと平行に延出する螺軸（ウォームシャフト）１２と、前記スプール軸３ａの後部に固定される摺動体１５とを備えている。前記螺軸１２の端部には、前記ピニオン９と噛合するオシレートギヤ（図示せず）が設けられており、前記ハンドル７を回転操作することで、螺軸１２は、前記駆動ギヤ８、ピニオン９及びオシレートギヤを介して回転駆動されるようになっている。
【００１７】
前記螺軸１２の周面には、軸方向に沿って螺旋状のカム溝１２ａが形成されており、このカム溝１２ａに、以下に詳述するように前記摺動体１５に収容保持された係合ピン１６の係合爪１６ａが係合されている。
【００１８】
前記摺動体１５は、円筒状の収容孔１７ａを有する本体１７を備えており、この本体１７がスプール軸３ａの後部に取り付けられている。この場合、前記スプール軸３ａの後端には、断面が非円形でハンドル軸の軸方向と直交する平坦面３ｂが形成されており、この平坦面３ｂに対して、後述する抜け止め部材２０を構成するプレート２０ａが当て付けられて、ハンドル軸方向から止めネジ１８が螺入されることで、摺動体１５は、スプール軸３ａに対して回り止め固定されている。
【００１９】
前記本体１７の円筒状の収容孔１７ａ内には、前記係合ピン１６が収容保持されるようになっている。係合ピン１６は円柱状に構成されており、その一端側（先端部）には、前記螺軸１２のカム溝１２ａに係合される係合爪１６ａが形成され、先端部と反対側の端部には、係合ピン１６の本体よりも大径となる鍔部（大径鍔部）１６ｂが形成されている。
【００２０】
前記大径鍔部１６ｂは、摺動体１５の本体１７に形成される収容孔１７ａの開口周囲に対して当て付け保持されており、更に、その上方から抜け止め部材２０が装着されることで、係合ピン１６は軸方向（螺軸と直交する方向）に抜け止め保持されている。この場合、前記抜け止め部材２０は、例えば、本体１７に面接される板状のプレート２０ａと、このプレート２０ａを本体１７に止着する止めネジ２０ｂによって構成されている。
【００２１】
具体的に、本実施形態の構成では、大径鍔部１６ｂは、前記収容孔１７ａ内に装填されて係合ピン１６を中心軸回りに回動し易くするカラー２１の上端面（開口周囲）に当て付けられており、この状態で、その上方からプレート２０ａを覆い、かつこのプレート２０ａを止めビス２０ｂで止めることで、本体１７（カラー２１）とプレート２０ａとの間で挟着されている。これにより、係合ピン１６は、本体１７に対して軸方向に対して抜け止め保持されており、かつこの状態で係合爪１６ａはカム溝１２ａに係合されている。
【００２２】
また、本実施形態の構成では、前記摺動体１５の本体１７には、嵌合部１７ｂが形成されると共に、リール本体１に設けられるガイド軸２５（本実施形態では、２本配設されている）を案内する案内部１７ｃが形成されている。
【００２３】
前記嵌合部１７ｂは、収容孔１７ａと直交する方向に沿って形成されており、前記螺軸１２を囲繞するようにして螺軸を挿通している。また、前記案内部１７ｃは、螺軸１２と平行に支持された２本のガイド軸２５と係合して、本体１７を案内すると共に、回り止めするものであれば良く、ガイド軸２５の外周との間で隙間のないように挿通させる貫通孔を備えている。なお、前記螺軸１２、及びガイド軸２５の後端部は、夫々、リール本体１に回転可能に支持、及び固定支持されており、共にリテーナ３０によって抜け止めされている。
【００２４】
上記した構成の魚釣用スピニングリールによれば、ハンドル７を巻取り操作すると、螺軸１２が回転駆動され、摺動体１５は、螺軸１２に形成されたカム溝１２ａに係合する係合ピン１６を介して、安定した状態で前後方向に往復駆動される。すなわち、ハンドル７の巻き取り操作に伴って、ロータ２の回転と同期してスプール３は前後往復動される。
【００２５】
そして、リール本体１内に組み込まれる往復動装置１０の摺動体１５は、係合ピン１６の係合爪１６ａと反対側の端部に大径鍔部１６ｂを形成し、これを摺動体１５の収容孔１７ａの開口周囲に当て付け、抜け止め部材２０によって係合ピン１６を抜け止め保持しているため、係合ピンの摺動体１５に対する当て付け領域（支持領域）が大きく確保された状態となり、その保持が安定するようになる（充分な保持スペースが確保される）。更に、止めネジ２０ｂの頭部外径内で係合ピン１６の大径鍔部１６ｂの一部を重合する状態で押さえ付けるので、より安定した保持状態を維持できる。
【００２６】
すなわち、大径鍔部１６ｂによる安定した保持状態で軸方向（螺軸１２と直交する方向）に抜け止めされて移動が規制された状態になるため、係合ピン１６のカム溝１２ａに対する安定した係合状態の維持が図れるようになり、摺動体１５内の係合ピン１６のガタ付きが抑制される。従って、落下や他物との衝突等によって、スプール前部に外力がリール本体側に向けて作用しても、螺軸１２のカム溝１２ａから係合ピン１６の係合爪１６ａが外れてしまう「乗り上げ現象」が防止できるようになる。
【００２７】
また、本実施形態における摺動体１５は、前記螺軸１２を嵌合する嵌合部１７ｂが形成されているため、落下、衝撃等によって、スプール軸を介して摺動体１５に大きな外力が作用しても、嵌合部１７ｂの補強作用によって、螺軸１２に対する摺動体１５の傾きを防止することができ、上記した「乗り上げ現象」をより確実に防止することが可能となる。また、大きな衝撃が作用しても、上記した嵌合部１７ｂによって、ガイド軸２５は変形し難いため、摺動体１５の安定した往復動を維持することが可能となる。
【００２８】
以上、本発明の実施形態について説明したが、本発明は、係合ピン１６の係合爪と反対側の端部に、大径の鍔部１７ｂを形成し、これを摺動体の本体１７に形成される収容孔１７ａの開口周囲に当て付けて、抜け止め部材２０によって係合ピンを抜け止め保持するように構成されていれば良い。このため、摺動体１５の形状、摺動体のスプール軸３ａに対する固定方法、ガイド軸２５の配置態様、係合方法等については、適宜変形することが可能である。
【００２９】
また、本実施形態では、収容孔１７ａ内にカラー２１を設置し、大径鍔部１６ｂを、開口周囲であるカラーの上端面に当て付けたが、このようなカラーを介在させることなく、直接、本体１７の表面（開口周囲）に当て付けて保持するような構成であっても良い。さらに、抜け止め部材については、大径鍔部を抜け止めして固定できるように構成されていれば良く、例えば、プレート２０ａを用いることなく、大径鍔部１６ｂに直接、止めネジ２０ｂを固定するような構成であっても良い。
【図面の簡単な説明】
【００３０】
【図１】本発明に係る魚釣用スピニングリールの一実施形態を示す図であり、リール本体を切欠いて往復動装置を示す図。
【図２】図１に示す往復動装置の主要部の拡大図。
【図３】図２のＡ−Ａ線に沿った断面図。
【図４】図２のＢ−Ｂ線に沿った断面図。
【符号の説明】
【００３１】
１  リール本体
３  スプール
３ａ  スプール軸
７  ハンドル
１０  往復動装置
１２  螺軸
１２ａ  カム溝
１５  摺動体
１６  係合ピン
１６ａ  係合爪
１６ｂ  大径鍔部
１７  本体
１７ａ  収容部
１７ｂ  嵌合部
２０  抜け止め部材
２５  ガイド軸
【図１】
2007097491.tif 000003
【図２】
2007097491.tif 000004
【図３】
2007097491.tif 000005
【図４】
2007097491.tif 000006